【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  所定のデータの順序関係に基づいて、入力されるデータを整列するデータ整列手段と、
所定のビットシークエンスに応じて、前記データ整列手段を駆動する整列駆動手段とを具備することを特徴とするデータシャッフル装置。
【請求項２】  所定のデータの順序関係に基づいて、入力されるデータを整列する複数のデータ整列手段と、
所定のビットシークエンスに応じて、前記複数のデータ整列手段のうち、１のデータ整列手段を駆動する整列駆動手段と
を具備することを特徴とするデータシャッフル装置。
【請求項３】   所定のデータ順序関係の定義に基づいて整列された参照データの入力を受けて、所定のビットシークエンスに応じて、前記入力された参照データを並べ替え、前記並べ替えた参照データを、前記データ順序関係の定義に基づいて整列するデータ整列手段と、
前記並べ替えた参照データを、前記データ順序関係の定義に基づいて整列する際に、前記参照データのデータ順序関係の比較結果を所定のビットパターンとして記録する記録手段と、
前記記録したビットパターンに応じて、入力されるデータについて、前記データ整列手段を駆動する整列駆動手段と
を具備することを特徴とするデータデシャッフル装置。
【請求項４】   所定のデータ順序関係の定義に基づいて整列された参照データの入力を受けて、所定のビットシークエンスに応じて、前記入力された参照データを並べ替え、前記並べ替えた参照データを、前記データ順序関係の定義に基づいて整列するデータ整列手段と、
前記並べ替えた参照データと、前記入力された参照データとの対応関係を記録する記録手段と、
該記録した対応関係に基づいて、入力されるデータについて、前記データ整列手段を駆動する整列駆動手段と
を具備することを特徴とするデータデシャッフル装置。
【請求項５】  所定のデータの順序関係に基づいて、入力されるデータを整列するプロセスを、所定のビットシークエンスに応じて駆動することを特徴とするデータシャッフル方法。
【請求項６】   所定のデータの順序関係に基づいて、入力されるデータを整列する複数のプロセスのうち、所定のビットシークエンスに応じて、１のプロセスを駆動する
ことを特徴とするデータシャッフル方法。
【請求項７】   所定のデータ順序関係の定義に基づいて整列された参照データの入力を受けて、
所定のビットシークエンスに応じて、前記入力された参照データを並べ替え、
前記並べ替えた参照データを、前記データ順序関係の定義に基づいて整列し、
前記並べ替えた参照データを、前記データ順序関係の定義に基づいて整列する際に、前記参照データのデータ順序関係の比較結果を所定のビットパターンとして記録し、
前記記録したビットパターンに応じて、入力されるデータについて、該データを整列するプロセスを駆動する
ことを特徴とするデータデシャッフル方法。
【請求項８】   所定のデータ順序関係の定義に基づいて整列された参照データの入力を受けて、
所定のビットシークエンスに応じて、前記入力された参照データを並べ替え、
前記並べ替えた参照データを、前記データ順序関係の定義に基づいて整列し、
前記並べ替えた参照データと、前記入力された参照データとの対応関係を記録し、
前記記録した対応関係に基づいて、入力されるデータについて、該データを整列するプロセスを駆動する
ことを特徴とするデータデシャッフル方法。
【請求項９】   所定のデータの順序関係に基づいて、入力されるデータを整列するプロセスを、所定のビットシークエンスに応じて駆動する処理をコンピュータに実行させるためのデータシャッフルプログラム。
【請求項１０】   所定のデータの順序関係に基づいて、入力されるデータを整列する複数のプロセスのうち、所定のビットシークエンスに応じて、１のプロセスを駆動する処理をコンピュータに実行させるためのデータシャッフルプログラム。
【請求項１１】   所定のデータ順序関係の定義に基づいて整列された参照データの入力を受ける処理と、
所定のビットシークエンスに応じて、前記入力された参照データを並べ替える処理と、
前記並べ替えた参照データを、前記データ順序関係の定義に基づいて整列する処理と、
前記並べ替えた参照データを、前記データ順序関係の定義に基づいて整列する際に、前記参照データのデータ順序関係の比較結果を所定のビットパターンとして記録する処理と、
前記記録したビットパターンに応じて、入力されるデータについて、該データを整列するプロセスを駆動する処理と
をコンピュータに実行させるためのデータデシャッフルプログラム。
【請求項１２】   所定のデータ順序関係の定義に基づいて整列された参照データの入力を受ける処理と、
所定のビットシークエンスに応じて、前記入力された参照データを並べ替える処理と、
前記並べ替えた参照データを、前記データ順序関係の定義に基づいて整列する処理と、
前記並べ替えた参照データと、前記入力された参照データとの対応関係を記録する処理と、
前記記録した対応関係に基づいて、入力されるデータについて、該データを整列するプロセスを駆動する処理と
をコンピュータに実行させるためのデータデシャッフルプログラム。
【手続補正２】
【補正対象書類名】明細書
【補正対象項目名】０００４
【補正方法】変更
【補正の内容】
【０００４】
【課題を解決するための手段】
この発明は上記の課題を解決すべくなされたもので、本発明は、所定のデータの順序関係に基づいて、入力されるデータを整列するデータ整列手段と、所定のビットシークエンスに応じて、前記データ整列手段を駆動する整列駆動手段とを具備することを特徴とする。
【手続補正３】
【補正対象書類名】明細書
【補正対象項目名】０００５
【補正方法】変更
【補正の内容】
【０００５】
また、本発明は、所定のデータの順序関係に基づいて、入力されるデータを整列する複数のデータ整列手段と、所定のビットシークエンスに応じて、前記複数のデータ整列手段のうち、１のデータ整列手段を駆動する整列駆動手段とを具備することを特徴とする。
【手続補正４】
【補正対象書類名】明細書
【補正対象項目名】０００６
【補正方法】変更
【補正の内容】
【０００６】
また、本発明は、所定のデータ順序関係の定義に基づいて整列された参照データの入力を受けて、所定のビットシークエンスに応じて、前記入力された参照データを並べ替え、前記並べ替えた参照データを、前記データ順序関係の定義に基づいて整列するデータ整列手段と、前記並べ替えた参照データを、前記データ順序関係の定義に基づいて整列する際に、前記参照データのデータ順序関係の比較結果を所定のビットパターンとして記録する記録手段と、前記記録したビットパターンに応じて、入力されるデータについて、前記データ整列手段を駆動する整列駆動手段とを具備することを特徴とする。
【手続補正５】
【補正対象書類名】明細書
【補正対象項目名】０００７
【補正方法】変更
【補正の内容】
【０００７】
また、本発明は、所定のデータ順序関係の定義に基づいて整列された参照データの入力を受けて、所定のビットシークエンスに応じて、前記入力された参照データを並べ替え、前記並べ替えた参照データを、前記データ順序関係の定義に基づいて整列するデータ整列手段と、前記並べ替えた参照データと、前記入力された参照データとの対応関係を記録する記録手段と、該記録した対応関係に基づいて、入力されるデータについて、前記データ整列手段を駆動する整列駆動手段とを具備することを特徴とする。
【手続補正６】
【補正対象書類名】明細書
【補正対象項目名】０００８
【補正方法】変更
【補正の内容】
【０００８】
また、本発明は、所定のデータの順序関係に基づいて、入力されるデータを整列するプロセスを、所定のビットシークエンスに応じて駆動することを特徴とする。
【手続補正７】
【補正対象書類名】明細書
【補正対象項目名】０００９
【補正方法】変更
【補正の内容】
【０００９】
また、本発明は、所定のデータの順序関係に基づいて、入力されるデータを整列する複数のプロセスのうち、所定のビットシークエンスに応じて、１のプロセスを駆動することを特徴とする。
【手続補正８】
【補正対象書類名】明細書
【補正対象項目名】００１０
【補正方法】変更
【補正の内容】
【００１０】
また、本発明は、所定のデータ順序関係の定義に基づいて整列された参照データの入力を受けて、所定のビットシークエンスに応じて、前記入力された参照データを並べ替え、前記並べ替えた参照データを、前記データ順序関係の定義に基づいて整列し、前記並べ替えた参照データを、前記データ順序関係の定義に基づいて整列する際に、前記参照データのデータ順序関係の比較結果を所定のビットパターンとして記録し、前記記録したビットパターンに応じて、入力されるデータについて、該データを整列するプロセスを駆動することを特徴とする。
【手続補正９】
【補正対象書類名】明細書
【補正対象項目名】００１１
【補正方法】変更
【補正の内容】
【００１１】
また、本発明は、所定のデータ順序関係の定義に基づいて整列された参照データの入力を受けて、所定のビットシークエンスに応じて、前記入力された参照データを並べ替え、前記並べ替えた参照データを、前記データ順序関係の定義に基づいて整列し、前記並べ替えた参照データと、前記入力された参照データとの対応関係を記録し、前記記録した対応関係に基づいて、入力されるデータについて、該データを整列するプロセスを駆動することを特徴とする。
【手続補正１０】
【補正対象書類名】明細書
【補正対象項目名】００１２
【補正方法】変更
【補正の内容】
【００１２】
また、本発明は、所定のデータの順序関係に基づいて、入力されるデータを整列するプロセスを、所定のビットシークエンスに応じて駆動する処理をコンピュータに実行させるためのデータシャッフルプログラムである。
【手続補正１１】
【補正対象書類名】明細書
【補正対象項目名】００１３
【補正方法】変更
【補正の内容】
【００１３】
また、本発明は、所定のデータの順序関係に基づいて、入力されるデータを整列する複数のプロセスのうち、所定のビットシークエンスに応じて、１のプロセスを駆動する処理をコンピュータに実行させるためのデータシャッフルプログラムである。
【手続補正１２】
【補正対象書類名】明細書
【補正対象項目名】００１４
【補正方法】変更
【補正の内容】
【００１４】
また、本発明は、所定のデータ順序関係の定義に基づいて整列された参照データの入力を受ける処理と、所定のビットシークエンスに応じて、前記入力された参照データを並べ替える処理と、前記並べ替えた参照データを、前記データ順序関係の定義に基づいて整列する処理と、前記並べ替えた参照データを、前記データ順序関係の定義に基づいて整列する際に、前記参照データのデータ順序関係の比較結果を所定のビットパターンとして記録する処理と、前記記録したビットパターンに応じて、入力されるデータについて、該データを整列するプロセスを駆動する処理とをコンピュータに実行させるためのデータデシャッフルプログラム。
【手続補正１３】
【補正対象書類名】明細書
【補正対象項目名】００１５
【補正方法】変更
【補正の内容】
【００１５】
また、本発明は、所定のデータ順序関係の定義に基づいて整列された参照データの入力を受ける処理と、所定のビットシークエンスに応じて、前記入力された参照データを並べ替える処理と、前記並べ替えた参照データを、前記データ順序関係の定義に基づいて整列する処理と、前記並べ替えた参照データと、前記入力された参照データとの対応関係を記録する処理と、前記記録した対応関係に基づいて、入力されるデータについて、該データを整列するプロセスを駆動する処理とをコンピュータに実行させるためのデータデシャッフルプログラムである。